(57)【要約】【課題】  ボールを長時間落ちることなく周回運動させる加速機構に加えて特定のフィールド位置で出目エリアに落とすように磁力による減速機構を設けることにより、見た目に自然な加速減速を行い正確なボールの落下制御を行うことができるルーレットゲーム機におけるボールの加速減速機構を提供する。【解決手段】  フィールド８ａの下面に加速用電磁石と減速用電磁石がそれぞれ等間隔で配置されている。ボウル８の円環部８ｂには減速用電磁石に対応してボール周回検出光学センサが設けられている。ボール周回検出光学センサ１５ｈが鉄球１２を検出すると、つぎのセンサ１５ａの位置に鉄球１２が達したときから減速用電磁石７ａにより吸引力による減速を行う。この後、各センサ位置で順次減速が行われ、略半周したフィールド位置で鉄球１２はダイヤ型ブロック１０ａに衝突して出目エリアに落下する。【選択図】      図２
2005211299.tif 000002
【特許請求の範囲】
【請求項１】
ボール発射装置から放出され周回するボールを速度制御するルーレットゲーム機において、
前記ボールを磁性体で形成し、
周回フィールドに沿って設けられ、ボール位置を検知する複数のセンサと、
前記複数のセンサ位置にそれぞれ対応する、フィールドに沿って設けられる複数の減速用電磁石と、
前記各センサがボールを検知したとき、所定の時間だけ電磁石を作動させる制御回路とを備え、
周回するボールを減速制御する場合、１つのセンサがボールを検知したとき、隣接する次のセンサ位置対応の減速用電磁石でボールを吸引して減速制御を開始し、所定の数の減速用電磁石を順次駆動制御することにより目標のフィールド位置でボールを落下させることを特徴とするルーレットゲーム機におけるボールの加速減速機構。
【請求項２】
前記複数の減速用電磁石のうち所定の数の電磁石に対応して加速用電磁石を設けたことを特徴とする請求項１記載のルーレットゲーム機におけるボールの加速減速機構。
【請求項３】
前記加速用電磁石は対応の減速用電磁石に対し、センサを挟むように、かつセンサからの距離は、減速用電磁石のセンサまでの距離より大きい距離に設置したことを特徴とする請求項２記載のルーレットゲーム機におけるボールの加速減速機構。
【請求項４】
前記磁性体のボールは、鉄球，外表面が磁性体材料の球または外表面が非磁性体で内部コア部分が磁性体材料の球の何れかであることを特徴とする請求項１，２または３記載のルーレットゲーム機におけるボールの加速減速機構。
【発明の詳細な説明】
【技術分野】
【０００１】
本発明は、ルーレットゲーム機においてボールの周回速度を制御できる加速減速機構に関する。
【背景技術】
【０００２】
ルーレットゲーム機ではボールをフィールドに射出して周回させる方法として風などの力を用いて行っているが、ゲームを適正に進行させるために一旦、フィールド上に射出したボールを、さらに加減速することが必要となってくる。
従来は加速する方法としてボール後方からさらに空気流を送出したり、磁力による力によって行ったりしている。
【０００３】
本件出願人は、ボールを加速する方法としてボールを磁性体で形成し、ボール転送通路に沿って複数のセンサを配設し、このセンサからの検出信号により磁力によって加速方向に転動させる複数の電磁石を設けたルーレット遊戯装置を提案している（特許文献１）。
これによれば、フィールドに射出され周回するボールは、加速方向に速度制御を行うことができる。
【特許文献１】特開昭６１−８７０４号公報
【発明の開示】
【発明が解決しようとする課題】
【０００４】
しかしながら、減速の機構については、存在しないため周回運動の速度を正確にコントロールすることができなかった。
ルーレットゲーム機では、装置自体が出目の状態をある程度制御できるようにすることが、適切な抽選を行う上で重要である。すなわち、プレイヤが投票する出目位置に対し、過去の出目データから、当選確率が高い場合には少し抑え、当選確率が低い場合には当たる確率を上昇できることが必要である。そのためには、ボールの速度制御を正確に行えることが肝要である。
本発明の目的は、ボールを長時間落ちることなく周回運動させる加速機構に加えて特定のフィールド位置で出目エリアに落とすように磁力による減速機構を設けることにより、見た目に自然な加速減速を行い正確なボールの落下制御を行うことができるルーレットゲーム機におけるボールの加速減速機構を提供することにある。
【課題を解決するための手段】
【０００５】
前記目的を達成するために本発明の請求項１は、ボール発射装置から放出され周回するボールを速度制御するルーレットゲーム機において、前記ボールを磁性体で形成し、周回フィールドに沿って設けられ、ボール位置を検知する複数のセンサと、前記複数のセンサ位置にそれぞれ対応する、フィールドに沿って設けられる複数の減速用電磁石と、前記各センサがボールを検知したとき、所定の時間だけ電磁石を作動させる制御回路とを備え、周回するボールを減速制御する場合、１つのセンサがボールを検知したとき、隣接する次のセンサ位置対応の減速用電磁石でボールを吸引して減速制御を開始し、所定の数の減速用電磁石を順次駆動制御することにより目標のフィールド位置でボールを落下させることを特徴とする。
本発明の請求項２は、請求項１記載の発明において前記複数の減速用電磁石のうち所定の数の電磁石に対応して加速用電磁石を設けたことを特徴とする。
本発明の請求項３は、請求項２記載の発明において前記加速用電磁石は対応の減速用電磁石に対し、センサを挟むように、かつセンサからの距離は、減速用電磁石のセンサまでの距離より大きい距離に設置したことを特徴とする。
本発明の請求項４は、前記磁性体のボールは、鉄球，外表面が磁性体材料の球または外表面が非磁性体で内部コア部分が磁性体材料の球の何れかであることを特徴とする。
【発明の効果】
【０００６】
本発明は、自然な周回動作でボールの正確な減速制御が可能になり、目標とする出目エリアに高い確率でボールを落下させることができる。
【発明を実施するための最良の形態】
【０００７】
以下、図面を参照して本発明の実施の形態を詳しく説明する。
図１は、本発明によるボールの加速減速機構を適用したルーレットゲーム機の外観を示す斜視図である。
ルーレットゲーム機１は、最大６名で行えるように６面のタッチパネル３ａ〜３ｆを有し、各タッチパネルでプレーヤはルーレットベットの当たり出目を投票（指定）することができる。中央にルーレット盤枡目部（ルーレット盤出目エリア）２ａを有するルーレット盤５が配置されている。プレーヤはメダル投入部４にメダルを投入することにより抽選に参加することができる。ボールがフィールドに発射された後、周回運動しているボールに対し加速用電磁石を起動して加速してさらに周回運動を維持したり、または減速用電磁石を起動して減速し目標とする出目エリアに落下させるように制御することができる。
【０００８】
図２は、ルーレット盤面部分の詳細を説明するための斜視図、図３は、図２のルーレット盤面部分からボウルを省略して示した斜視図である。
基台９の上にルーレット盤を構成する、フィールド８ａおよび円環部８ｂを含むボウル８が搭載されている。ボウル８の中央上部には出目エリア２ａを有するホイール２が回転可能に取り付けられている。さらにホイール２の中央部にはボール回収時に上昇するコーン２０が配置されている。ボウル８のフィールド８ａに、縦に配置したダイヤ型ブロック１０ａと横に配置したダイヤ型ブロック１０ｂが交互に配置されている。
ボウル８のフィールド８ａに連設される円環部８ｂには、８個のボール周回検知光学センサ１５ａ〜１５ｈが等間隔で設けられている。
【０００９】
ボール周回検出光学センサ１５ａ〜１５ｈはボールが真下のフィールド通過時に検知することができる。上記ダイヤ型ブロック１０ａ，１０ｂは合計で８個配置され、ボール周回検出光学センサの各センサ間の中間に配置される。
加速用電磁石６ａ，６ｃ，６ｅ，６ｇと減速用電磁石７ａ〜７ｈはフィールド８ａの真下に、ボール周回検出光学センサ１５ａ〜１５ｈに対応して設けられている。各電磁石はそれぞれの磁力線１７（図４参照）がフィールド８ａを垂直に貫くような姿勢で基台９に固定されている。
【００１０】
図４は、ボールを加速および減速制御する動作を説明するための図である。
この例は１つのボール周回検出光学センサ１５に対応して加速用電磁石６と減速用電磁石７とが設けられている部分を示したものである（減速用電磁石７のみ設けた部分もある）。ボール周回検出光学センサ１５は一定の幅（ボールが例えば１周３秒で周回する場合、略１５ｍｍｓ幅）の範囲にボールがある場合に検知信号を出力する。
減速用電磁石７はボール周回検出光学センサ１５の中心からボール進入側に向かって距離ｂの位置に設けられている。また、加速用電磁石６はセンサ１５の中心からボール進行側に向かって距離ａの位置に設けられている。距離ａとｂはａ＞ｂの関係にしてある。距離ａが距離ｂより大きいのは、加速用電磁石６の設置位置よりかなり手前から吸引動作を開始しボールが加速用電磁石６の設置位置に達したときには吸引動作を停止しなければ円滑に加速できないからであり、距離ｂが距離ａより小さいのは、ボールが進行する方向に対し逆方向に吸引力を発生させてブレーキを掛けるため、距離が大きすぎると円滑な減速を行うことができないからである。
【００１１】
図５は、本発明によるボールの加速減速機構を適用したルーレットゲーム機の回路の実施の形態を示す回路図である。
本図は本発明のボール加速減速制御に直接関係ある回路部分のみを記載してあり、他の回路部分は省略してある。
ＣＰＵ１１はルーレットゲーム機の全体の制御を司り、ボール制御に関連してボール発射制御部１１ａ，ボール加速制御部１１ｂおよびボール減速制御部１１ｃの各機能を備えている。ボール発射制御部１１ａは、駆動回路２５を制御しボール射出用ブロア２６を駆動して図３に示すボール発射口１６からボールを発射させ、図示しない約半周の加速ホースによって加速させ図２に示すフィールド送出口２１からボールをフィールドに送り出す。ルーレット盤モータ２４はＣＰＵ１１の制御の下に出目エリア２ａを有するホイール２を回転させる。
【００１２】
光学センサ制御部３２はボール周回検出光学センサ１５（１５ａ〜１５ｈ）を駆動制御するもので、該ボール周回検出光学センサ１５から周回するボールの検出情報を得ると、ＣＰＵ１１にその検出情報を送る。
ボール加速制御部１１ｂはフィールド上の加速用電磁石６ａ，６ｃ，６ｅ，６ｇの位置にボールが達したタイミングで加速制御を行う制御プログラムの実行により実現されるもので、予め決められているボール周回検出光学センサ１５からボール検出情報を得たとき、駆動回路１８を制御して加速用電磁石６を駆動しボールを加速させる。
一方、ボール減速制御部１１ｃはボール加速制御部１１ｂと同様、フィールド上の減速用電磁石７ａ〜７ｈの位置にボールが達したタイミングで減速制御を行う制御プログラムの実行により実現されるもので、予め決められているボール周回検出光学センサ１５からボール検出情報を得たとき、駆動回路１９を制御して対応の減速用電磁石７の駆動を開始してボールの減速を行い、つぎの減速用電磁石７へと減速制御を移していく。
【００１３】
図６は、減速制御時のセンサ出力および減速用電磁石の起動タイミングを説明するための波形図である。
この例はブレーキを掛け初めてから略半周でボールを落下させるためにボールにブレーキを掛けるように構成されたボール制御に関する制御プログラムに基づくものである。
ボール周回光学センサ１５ｈが検出する範囲にボールが進入してきたとき出力される所定幅の検出信号によりボール減速制御部１１ｃは、つぎのボール周回検出光学センサ１５ａの検出範囲位置にボールが達してボール周回検出光学センサ１５ａから検出信号が出力されたとき、駆動回路１９を制御して減速用電磁石７ａを駆動する。減速用電磁石７ａはボール検出時間と同じ時間だけ駆動され、図４に示すようにフィールド８ａに対し垂直に貫く磁力線１７を発生しボール周回検出光学センサ１５ａ下部に達した鉄球１２を矢印２２方向に吸引する。吸引力により鉄球１２が減速する。ボールに減速用電磁石７ａの駆動時間は、例えばボールの周期を３秒であるとすると、略１５ｍｍｓの間である。
【００１４】
つぎにボール周回検出光学センサ１５ｂが検出する範囲に達すると同様に検出信号がボール周回検出光学センサ１５ｂから出力され、減速用電磁石７ｂが駆動しさらに鉄球１２を減速させる。
このように繰り返し減速され減速用電磁石７ｄの位置まで達して減速されると、鉄球１２はフィールド８ａを落下し始め、ダイヤ型ブロック１０ａに衝突する。この結果ほぼ目的とした出目エリアに落下させることができる。なお、ダイヤ型ブロック１０ａには衝突せず、さらに次のボール周回光学センサ１５ｅの検出範囲まで達した場合には減速用電磁石７ｅで確実に減速されるので、装置が目指す出目エリアからのずれは少ない。
【００１５】
図７は、ボールの他の実施の形態を説明するための図である。
ボールは鉄球の他、内部コア部分に非磁性体を用い外表面を磁性体１３ａで構成した球１３や内部コア部分に磁性体１４ａを用い外表面を非磁性体で構成した球１４を用いても同様に電磁石によって吸引される。
【００１６】
以上の実施の形態は、加速用電磁石を４個，減速用電磁石を８個、等間隔でフィールドの下部に設けた例を説明したが、加速用電磁石および減速用電磁石の数はさらに増加させても、反対に減少させても良い。減速用電磁石を４〜６個，１０〜１６個設けても同様の効果が生じる。また、加速用電磁石は上記減速用電磁石に対応させて増減させることができる。
さらにボール周回検出用のセンサとして光学的に検知する場合を説明したが、他の方式、例えば、磁気変化，容量変化や機械センサなどを用いて良い。
【産業上の利用可能性】
【００１７】
アーケードゲームセンタなどに設置されるルーレットゲーム機である。
【図面の簡単な説明】
【００１８】
【図１】本発明によるボールの加速減速機構を適用したルーレットゲーム機の外観を示す斜視図である。
【図２】ルーレット盤面部分の詳細を説明するための斜視図である。
【図３】図２のルーレット盤面部分からボウルを省略して示した斜視図である。
【図４】ボールを加速および減速制御する動作を説明するための図である。
【図５】本発明によるボールの加速減速機構を適用したルーレットゲーム機の回路の実施の形態を示す回路図である。
【図６】減速制御時のセンサ出力および減速用電磁石の起動タイミングを説明するための波形図である。
【図７】ボールの他の実施の形態を説明するための図である。
【符号の説明】
【００１９】
１  ルーレットゲーム機  
２ａ  ルーレット盤枡目部  
３  タッチパネル  
４  メダル投入部  
５  ルーレット盤
６，６ａ，６ｃ，６ｅ，６ｇ  加速用電磁石
７，７ａ〜７ｈ  減速用電磁石
８  ボウル
９  基台
１０ａ，１０ｂ  ダイヤ型ブロック  
１１  ＣＰＵ
１２  鉄球
１３，１４  ボール
１５，１５ａ〜１５ｈ  ボール周回検出光学センサ
１６  ボール発射口
１８，１９，２３，２５  駆動回路
２０  コーン
２１  フィールド送出口
【図１】
2005211299.tif 000003
【図２】
2005211299.tif 000004
【図３】
2005211299.tif 000005
【図４】
2005211299.tif 000006
【図５】
2005211299.tif 000007
【図６】
2005211299.tif 000008
【図７】
2005211299.tif 000009